(57)【要約】【課題】従来の野縁受脱落防止具では、地震の際において、野縁受を上方向に移動させるような力が加わった場合に、野縁受脱落防止具と野縁受とが共に上方に移動して野縁受が野縁受保持部から上方に外れてしまう。【解決手段】吊ボルトに取付けられたハンガー３の野縁受保持部３６に保持された野縁受４の脱落を防止する野縁受脱落防止具１０であって、ハンガー３の吊部３２の外面３２ａを覆う縦部１１と、縦部１１の上端より延長して野縁受保持部３６に保持された野縁受４の上面４２ａを覆う上覆部１６と、縦部１１の下縁より野縁受４を保持した野縁受保持部３６の底部３３の外面３３ｂに沿って横方向に延長して底部３３の外面３３ｂに係止する係止部１３とを備え、上覆部１６あるいは縦部１１のうちの少なくとも一方が止ねじ１４；１８により野縁受４にねじ止めされたことを特徴とする。【選択図】図１
2007177400.tif 000002
【特許請求の範囲】
【請求項１】
天井コンクリートスラブより下方に突出する吊ボルトに取付けられたハンガーの野縁受保持部に保持された野縁受の脱落を防止する野縁受脱落防止具であって、野縁受保持部が、ハンガーの吊ボルトへの取付部から下方に延長する吊部の下部と、吊部の下端より横方向に延長する底部と、底部の先端より立ち上がって吊部の下部と対向する立上部とにより形成され、野縁受脱落防止具が、吊部の外面を覆う縦部と、縦部の上端より延長して野縁受保持部に保持された野縁受の上面を覆う上覆部と、縦部の下縁より野縁受を保持した野縁受保持部の底部の外面に沿って横方向に延長して底部の外面に係止する係止部とを備え、上覆部あるいは縦部のうちの少なくとも一方が止ねじにより野縁受にねじ止めされたことを特徴とする野縁受脱落防止具。
【請求項２】
上覆部より立上部の上部側の外面を横切るように野縁受の長尺な方向に延長して立上部が吊部から離れる方向に倒れるのを規制する規制部を備えたことを特徴とする請求項１に記載の野縁受脱落防止具。
【発明の詳細な説明】
【技術分野】
【０００１】
本発明は地震の際の野縁受の脱落を防止する野縁受脱落防止具に関する。
【背景技術】
【０００２】
天井下地構造は、天井コンクリートスラブ、吊ボルト、ハンガー、野縁受、野縁取付具、野縁により形成される。天井下地構造は、天井コンクリートスラブに埋設したインサートナットに吊ボルトを締結して吊ボルトを天井コンクリートスラブより下方に突出するように設け、吊ボルトにハンガーを取付け、ハンガーに野縁受を取付け、野縁受に野縁取付具により野縁を取付けた構成である。しかしながら、地震の際において、天井ボードが壁に衝突して野縁受に力が加わることによって、野縁受が倒れて立上部が吊部から離れる方向に倒れてしまって野縁受がハンガーから外れることによって、天井ボード、野縁、野縁受が脱落してしまう。このため、ハンガーからの野縁受の脱落を防止するための野縁受脱落防止具が知られている。図７に示すように、ハンガー１０３は、吊ボルトへの取付部１０４、吊部１０５、底部１０６、立上部１０７を備え、吊部１０５の下部と底部１０６と立上部１０７とで形成された野縁受保持部１１０に上方から野縁受４が挿入されて野縁受４がハンガー１０３の野縁受保持部１１０に取付けられる。野縁受脱落防止具１２０は、ハンガー１０３に取付けられた野縁受４の上から野縁受４に跨るように取付けられるものであり、野縁受４の上板部４２に止ねじ１２１によってねじ止めされる上覆部１２２と、上覆部１２２の両側縁より下方に延長してハンガー１０３の吊部１０５と立上部１０７とを外側から挟み込むハンガー挟持片１２３；１２４とを備え、ハンガー挟持片１２３が止ねじ１２５によって野縁受４の縦板部４１の外面４１ａにねじ止めされる。
【非特許文献１】株式会社オクジュー  耐震改修用  ハンガーガード（平成１７年１２月１４日検索）、インターネット＜ＵＲＬ：http://www.okuju.co.jp/taisin/img/slide0037_ image061.gif＞
【発明の開示】
【発明が解決しようとする課題】
【０００３】
しかしながら、上述した野縁受脱落防止具では、地震の際において、野縁受４を上方向に移動させるような力が加わった場合に、野縁受脱落防止具１２０と野縁受４とが共に上方に移動して野縁受４が野縁受保持部１１０から上方に外れてしまい、天井ボード、野縁、野縁受４、野縁取付具、野縁受脱落防止具１１０が脱落してしまうという課題があった。
【課題を解決するための手段】
【０００４】
本発明は、天井コンクリートスラブより下方に突出する吊ボルトに取付けられたハンガーの野縁受保持部に保持された野縁受の脱落を防止する野縁受脱落防止具であって、野縁受保持部が、ハンガーの吊ボルトへの取付部から下方に延長する吊部の下部と、吊部の下端より横方向に延長する底部と、底部の先端より立ち上がって吊部の下部と対向する立上部とにより形成され、野縁受脱落防止具が、吊部の外面を覆う縦部と、縦部の上端より延長して野縁受保持部に保持された野縁受の上面を覆う上覆部と、縦部の下縁より野縁受を保持した野縁受保持部の底部の外面に沿って横方向に延長して底部の外面に係止する係止部とを備え、上覆部あるいは縦部のうちの少なくとも一方が止ねじにより野縁受にねじ止めされたことを特徴とする。
上覆部より立上部の上部側の外面を横切るように野縁受の長尺な方向に延長して立上部が吊部から離れる方向に倒れるのを規制する規制部を備えたことも特徴とする。
【発明の効果】
【０００５】
本発明の野縁受脱落防止具によれば、係止部を備えたので、地震の際において、野縁受を上方向に移動させるような力が加わった場合に係止部がハンガーの底部の外面に係止して野縁受の上方への移動を規制するので、野縁受が野縁受保持部から上方に外れることによる脱落を防止できる。
規制部を備えるので、規制部がハンガーの立上部及び野縁受の倒れを防止し、野縁受が倒れて野縁受保持部から外れることによる脱落を防止できる。
【発明を実施するための最良の形態】
【０００６】
図１乃至図５は最良の形態１を示し、図１（ａ）；（ｂ）は野縁受脱落防止具の取付状態を示し、図２はハンガーを示し、図３は野縁受脱落防止具を示し、図４は天井下地構造を示し、図５は野縁受脱落防止具の取付状態の断面を示す。
【０００７】
図４を参照し、天井下地１の構造を説明する。天井下地１は、図外の天井コンクリートスラブ、吊ボルト２、ハンガー３、野縁受４、野縁受脱落防止具１０、野縁取付具５、野縁６により形成される。天井下地１の施工は、天井コンクリートスラブに埋設した図外のインサートナットに吊ボルト２を締結して吊ボルト２を天井コンクリートスラブより下方に突出させて設け、吊ボルト２にハンガー３を取付け、ハンガー３に野縁受４を取付け、野縁受４に野縁受脱落防止具１０を取付け、野縁取付具５により野縁６を野縁受４に取付ける。そして、天井ボード１００が図外の止ねじによって野縁６の下面に取付けられる。ハンガー３、野縁受４、野縁受脱落防止具１０、野縁取付具５、野縁６は、金属板により形成される。
【０００８】
図２に示すように、ハンガー３は、吊ボルトへの取付部３１、吊部３２、底部３３、立上部３４を備える。取付部３１は、吊ボルト２の中心線と直交する方向に延長する矩形状の平板部３５と、吊ボルト２を貫通させるために平板部３５の中央に形成された貫通孔３５ａとを備える。吊ボルト２へのハンガー３の取付けは、まず、上ナット２１（図４参照）を吊ボルト２のねじ部に取り付け、上ナット２１より下に位置するねじ部を貫通孔３５ａに通し、下ナット２２（図４参照）を貫通孔３５ａよりも下に位置する吊ボルト２のねじ部に取付ける。そして、平板部３５を上下から挟むように上下のナット２１；２２を吊ボルト２のねじ部に締結することによってハンガー３が吊ボルト２に取付けられる。吊部３２は、取付部３１の一側縁３１ａより下方に延長し、取付部３１の平板部３５の面と直角をなす面を有した平板により形成される。底部３３は、吊部３２の下端より横方向に延長し、吊部３２の平板の面と直角をなす面を有した平板により形成される。すなわち、取付部３１の平板部３５と底部３３とが互いに平行な平板により形成され、取付部３１の平板部３５と底部３３とが吊部３２の上端と下端とから互いに反対方向に延長する。立上部３４は、底部３３の先端縁より上方に延長し、底部３３の平板の面と直角をなし、かつ、吊部３２の平板の面と平行な面を有した平板により形成される。立上部３４の上下方向の長さａは、野縁受４の背の高さＨ（図１参照）より長く形成され、吊部３２の上下方向の長さｂは、立上部３４の上下方向の長さａより長く形成される。吊部３２と立上部３４との間の間隔Ｄは、野縁受４の幅に対応した間隔に形成される。すなわち、吊部３２の下部と底部３３と立上部３４とにより野縁受保持部３６が形成される。したがって、野縁受４が吊部３２と立上部３４との間に挿入されて野縁受４の下板部４３が底部３３の内面３３ａに突付けられることによって、野縁受４の縦板部４１と吊部３２とが互いに平行な状態となるように野縁受４が野縁受保持部３６に取付けられる（図５参照）。
【０００９】
図１に示すように、野縁受４は、長尺な方向と直交する方向に切断された断面がコ字形状である長尺金物よりなる。野縁受４のコ字形状は、縦板部４１と縦板部４１の上端及び下端より同方向に延長して互いに平行に相対峙する上板部４２と下板部４３とにより形成される。
【００１０】
図３に示すように、野縁受脱落防止具１０は、縦部１１、係止部１３、上覆部１６、規制部１７を備える。図１に示すように、縦部１１は、野縁受４を保持したハンガー３の吊部３２の外面を覆った状態で、ハンガー３に保持された野縁受４の縦板部４１の外面４１ａにタッピングスクリューのような止ねじ１４でねじ止めされる板片により形成される。縦部１１を形成する板片は吊部３２の外面３２ａ及び縦板部４１の外面４１ａと互いに平行な面１１ａを備えた平板により形成され、止ねじ１４を貫通させる取付孔１５を備える。上覆部１６は、縦部１１の上縁１１ｔより横方向にハンガー３の立上部３４の外面３４ａの位置を越えて延長し、ハンガー３の野縁受保持部３６に保持された野縁受４の上板部４２の外面４２ａの上に位置する部分がタッピングスクリューのような止ねじ１８でねじ止めされる板片により形成される。規制部１７は、上覆部１６の板片の一側縁１６１の先端側よりハンガー３の立上部３４の上部側の外面３４ａを横切るように野縁受４の長尺な方向に延長する板片により形成され、ハンガー３の立上部３４が吊部３２から離れる方向に倒れるのを規制する。係止部１３は、縦部１１の下縁１１ｕより野縁受４を保持したハンガー３の底部３３の外面３３ｂに沿って横方向にハンガー３の立上部３４の外面３４ａの位置を越えて延長する板片により形成される。上覆部１６及び規制部１７を形成する板片は縦部１１の板片の面と直角をなす面を有した平板により形成され、上覆部１６には止ねじ１８を貫通させる取付孔１９が形成される。係止部１３の板片は縦部１１の板片の面と直角をなす面を有した平板により形成される。
【００１１】
野縁受４及び野縁受脱落防止具１０の取付方法を説明する。まず、野縁受４をハンガー３の野縁受保持部３６に挿入して取付ける。そして、ハンガー３から離れた所で、野縁受脱落防止具１０の縦部１１を野縁受４の縦板部４１の外面４１ａに沿わせて上覆部１６を野縁受４の上板部４２の上面４２ａに配置するとともに係止部１３を野縁受４の下板部４３の下側に配置した状態で、野縁受脱落防止具１０をハンガー３の方向に移動させる。そして、野縁受脱落防止具１０の上覆部１６の板片の一側縁１６１をハンガー３の吊部３２の側縁３２１と立上部３４の側縁３４１とに突き当てて、規制部１７を立上部３４の外面３４ａの外側に位置させるとともに係止部１３をハンガー３の底部３３の外面３３ｂに位置させる。この状態で、止ねじ１４が縦部１１の外側から縦部１１の取付孔１５を経由して野縁受４の縦板部４１に締結され、止ねじ１８が上覆部１６の外側から上覆部１６の取付孔１９を経由して野縁受４の上板部４２に締結されることによって、野縁受脱落防止具１０が野縁受４に取付けられる。
【００１２】
野縁受脱落防止具１０によれば、地震の際において、野縁受４を上方向に移動させるような力が加わった場合には、野縁受４が上方に移動しようとすれば、係止部１３がハンガー３の底部３３の外面３３ｂに係止して野縁受４の上方への移動を規制するので、野縁受４が野縁受保持部３６から上方に外れて、天井ボード１００、野縁６、野縁受４、野縁取付具５、野縁受脱落防止具１０が脱落してしまうことを防止できる。さらに、規制部１７がハンガー３の立上部３４及び野縁受４の倒れを防止するので、野縁受４が倒れて野縁受保持部３６から外れることを防止できるので、天井ボード１００、野縁６、野縁受４、野縁取付具５、野縁受脱落防止具１０が脱落してしまうことを防止できる。
【産業上の利用可能性】
【００１３】
ハンガー３は、図６に示すように、立上部３４の上部に、板片が吊部３２の方向に近付くように折曲されて形成された抜止部３２０を備えたものを用いてもよい。規制部１７を備えない構成としてもよく、この場合でも、地震の際において、野縁受４を上方向に移動させるような力が加わった場合に野縁受４の上方への移動を係止部１３によって防止できるので、本発明の所期の目的を達成できる。上覆部１６あるいは縦部１１のうちの少なくとも一方が止ねじにより野縁受４にねじ止めされて野縁受脱落防止具１０が野縁受４に固定されればよい。例えば、野縁受４が縦板部４１を立上部３４側に向けてハンガー３の野縁受保持部３６に取り付けられている場合には、縦部１１を止ねじ１４で野縁受４にねじ止めしなくてもよい。
【図面の簡単な説明】
【００１４】
【図１】野縁受脱落防止具の取付状態を示す斜視図（最良の形態）。
【図２】ハンガーを示す斜視図（最良の形態）。
【図３】野縁受脱落防止具を示す斜視図（最良の形態）。
【図４】天井下地構造を示す斜視図（最良の形態）。
【図５】野縁受脱落防止具の取付状態を示す縦断面（最良の形態）。
【図６】本発明の他例を示す縦断面。
【図７】従来の野縁受脱落防止具の取付状態を示す斜視図。
【符号の説明】
【００１５】
２  吊ボルト、３  ハンガー、４  野縁受、１０  野縁受脱落防止具、
１１  縦部、１３  係止部、１４；１８  止ねじ、１６  上覆部、１７  規制部、
３１  吊ボルトへの取付部、３２  吊部、３３  底部、３４  立上部、
３６  野縁受保持部。
【図１】
2007177400.tif 000003
【図２】
2007177400.tif 000004
【図３】
2007177400.tif 000005
【図４】
2007177400.tif 000006
【図５】
2007177400.tif 000007
【図６】
2007177400.tif 000008
【図７】
2007177400.tif 000009